(57)【特許請求の範囲】
【請求項１】
処方される薬剤が記載された薬袋と、薬剤に関する情報を表示する電子機器とを含む薬剤情報提供システムであって、
前記薬袋には、
前記薬剤の名称が記載される領域と、前記薬剤に対応するトリガー情報が記載される領域とが並べて配置され、
前記電子機器は、
前記トリガー情報を撮像する撮像部と、
前記薬剤に関する薬剤情報を表示する表示部と、
前記薬袋の前記トリガー情報が前記撮像部により撮像された場合に、前記トリガー情報によって特定される前記薬剤に関する薬剤情報に含まれる情報のいずれを表示させるかを選択するためのガイダンス画面を、撮像された前記トリガー情報に重畳して前記トリガー情報を表示することなく、前記表示部における前記薬剤の名称の撮像画像が表示される領域に並ぶ位置に表示し、前記ガイダンス画面に対する選択操作に応じて、前記トリガー情報によって特定される前記薬剤に関する薬剤情報のうちの選択された情報を、撮像された前記トリガー情報に重畳して前記トリガー情報を表示することなく、前記表示部における前記薬剤の名称の撮像画像が表示される領域に並ぶ位置に表示する制御部と、を備える、
ことを特徴とする薬剤情報提供システム。
【請求項２】
前記電子機器は、前記薬剤情報が予め記憶された記憶部を備え、
前記制御部は、前記トリガー情報によって特定される前記薬剤に関する薬剤情報を前記記憶部から取得する、
ことを特徴とする、請求項１に記載の薬剤情報提供システム。
【請求項３】
前記電子機器は、前記薬剤情報を蓄積するサーバと通信可能に構成され、
前記制御部は、前記トリガー情報によって特定される前記薬剤に関する薬剤情報を前記サーバから取得する、
ことを特徴とする、請求項１に記載の薬剤情報提供システム。
【請求項４】
前記トリガー情報は、前記薬袋を識別する薬袋識別番号及び前記薬剤を識別する薬剤識別番号を含む、
ことを特徴とする、請求項１乃至請求項３のいずれか１項に記載の薬剤情報提供システム。
【請求項５】
前記薬剤情報は、テキスト、静止画、動画、または音声のいずれかを含む、
ことを特徴とする、請求項１乃至請求項４のいずれか１項に記載の薬剤情報提供システム。
【請求項６】
前記薬剤情報は、前記薬袋を受領した患者個人に対する薬剤師からの伝達情報を含むことを特徴とする請求項１乃至請求項５のいずれか１項に記載の薬剤情報提供システム。
【請求項７】
処方される薬剤が記載された薬袋と、薬剤に関する情報を表示する電子機器とを含み、前記薬袋には、前記薬剤の名称が記載される領域と、前記薬剤に対応するトリガー情報が記載される領域とが並べて配置され、前記電子機器は、前記トリガー情報を撮像する撮像部と、前記薬剤に関する薬剤情報を表示する表示部と、を備える薬剤情報提供システムで実行される薬剤情報提供方法であって、
前記薬袋の前記トリガー情報が前記撮像部により撮像された場合に、前記トリガー情報によって特定される前記薬剤に関する薬剤情報に含まれる情報のいずれを表示させるかを選択するためのガイダンス画面を、撮像された前記トリガー情報に重畳して前記トリガー情報を表示することなく、前記表示部における前記薬剤の名称の撮像画像が表示される領域に並ぶ位置に表示し、前記ガイダンス画面に対する選択操作に応じて、前記トリガー情報によって特定される前記薬剤に関する薬剤情報のうちの選択された情報を、撮像された前記トリガー情報に重畳して前記トリガー情報を表示することなく、前記表示部における前記薬剤の名称の撮像画像が表示される領域に並ぶ位置に表示する薬剤情報表示ステップ、
を含むことを特徴とする薬剤情報提供方法。
【請求項８】
処方される薬剤が記載された薬袋と、薬剤に関する情報を表示する電子機器とを含み、前記薬袋には、前記薬剤の名称が記載される領域と、前記薬剤に対応するトリガー情報が記載される領域とが並べて配置され、前記電子機器は、前記トリガー情報を撮像する撮像部と、前記薬剤に関する薬剤情報を表示する表示部と、を備える薬剤情報提供システムにおける電子機器を制御するコンピュータに、
前記薬袋の前記トリガー情報が前記撮像部により撮像された場合に、前記トリガー情報によって特定される前記薬剤に関する薬剤情報に含まれる情報のいずれを表示させるかを選択するためのガイダンス画面を、撮像された前記トリガー情報に重畳して前記トリガー情報を表示することなく、前記表示部における前記薬剤の名称の撮像画像が表示される領域に並ぶ位置に表示し、前記ガイダンス画面に対する選択操作に応じて、前記トリガー情報によって特定される前記薬剤に関する薬剤情報のうちの選択された情報を、撮像された前記トリガー情報に重畳して前記トリガー情報を表示することなく、前記表示部における前記薬剤の名称の撮像画像が表示される領域に並ぶ位置に表示する薬剤情報表示機能、
を実現させることを特徴とするプログラム。
【発明の詳細な説明】
【技術分野】
【０００１】
本発明は、薬剤に関する情報を提供する薬剤情報提供システム、薬剤情報提供方法及びプログラムに関する。
【背景技術】
【０００２】
従来、薬袋や指導箋（薬剤情報提供文書）等に調剤された薬剤の名称、薬剤の形状写真、薬剤の効能、服用方法、注意事項（副作用等）等の処方情報を印刷することにより患者が誤った服用をしないような手段がとられている（例えば、特許文献１参照）。
【０００３】
ところが、薬袋等の限られた紙面に印刷する場合には情報に限りがある。
そこで、薬袋に患者情報や調剤された薬剤コード等を二次元コード（ＱＲコード（登録商標））として印刷したものが知られている（例えば、特許文献２参照）。
【０００４】
特許文献２に記載されている発明は、薬袋や指導箋（薬剤情報提供文書）に印刷された二次元コードを患者がスマートフォン、携帯電話等の携帯端末に読取り登録することにより、前記二次元コードに書き込まれている前記処方薬品の属性情報に基づいて、薬品に関する諸情報を蓄積保存する閲覧データベースから、条件に合致する薬剤情報を抽出し、その結果を前記携帯端末に表示させるものである。そうすることで、患者が受け取った処方薬品に関する処方情報を、患者に手渡された薬袋や指導箋等の各種の媒体に記載された情報に依存することなく、何時でも簡単に詳細な情報を取得できる環境を実現可能にするものである。
【先行技術文献】
【特許文献】
【０００５】
【特許文献１】特開２００２−３６０６６３号公報
【特許文献２】特開２００７−７２８６号公報
【発明の概要】
【発明が解決しようとする課題】
【０００６】
特許文献１に記載されている発明の場合、患者は、処方された薬剤について、薬袋に記載された説明のみでは、印刷できる文字数の理由から理解が困難な場合があった。
特許文献２に記載されている発明は、例えば、複数の薬剤が処方され、処方される薬剤が複数の薬袋等に包装されている場合に、携帯端末に表示された情報は、薬袋に関連づけられて表示されない。したがって、携帯端末に表示された情報が、どの薬袋のどの薬剤に対応する情報であるのか、患者にとって直感的に理解が困難な場合があった。
さらに、薬剤の処方においては、患者が自宅において適切に服薬管理できることが望まれている。
【０００７】
本発明は、このような実情に鑑みてなされたものであり、薬袋を介して、よりわかりやすく薬剤に関する情報を提供することを目的とする。
また、本発明は、薬袋を介して提供された薬剤に関する情報を用いて、患者が適切に服薬管理できるようにすることを他の目的とする。
【課題を解決するための手段】
【０００８】
上記課題を解決するため、本発明の一態様の薬剤情報提供システムは、
処方される薬剤が記載された薬袋と、薬剤に関する情報を表示する電子機器とを含む薬剤情報提供システムであって、
前記薬袋には、
前記薬剤に対応するトリガー情報が記載され、
前記電子機器は、
前記トリガー情報を撮像する撮像部と、
前記薬剤に関する薬剤情報を表示する表示部と、
前記薬袋の前記トリガー情報が前記撮像部により撮像された場合に、前記トリガー情報によって特定される前記薬剤に関する薬剤情報を撮像された前記トリガー情報に重畳して前記表示部に表示する制御部と、を備える、
ことを特徴とする。
【発明の効果】
【０００９】
本発明によれば、薬袋を介して、よりわかりやすく薬剤に関する情報を提供することができる。
【図面の簡単な説明】
【００１０】
【図１】薬剤情報提供システムのシステム構成を示す概念図である。
【図２】トリガー画像を有する薬袋の例を示す図である。
【図３】電子機器の構成を示す図である。
【図４Ａ】薬袋２を電子機器３により撮像したときに表示部３４に表示されるガイダンス画面の例を示す図である。
【図４Ｂ】ガイダンス画面から薬剤情報データが選択された場合に、表示部に表示される薬剤情報の例を示す図である。
【図４Ｃ】ガイダンス画面から服用管理が選択された場合に、表示部に表示される服用タイミングデータの例を示す図である。
【図５】サーバの構成を示す図である。
【図６】薬剤情報提供システムが実行する薬剤情報提供処理の流れを示すフローチャートである。
【発明を実施するための形態】
【００１１】
［本発明の第１実施形態］
以下、本発明の第１実施形態について図面を参照して説明する。
【００１２】
［薬剤情報提供システム１００のシステム構成］
図１は、薬剤情報提供システム１００のシステム構成を示す概念図である。
図１に示すように、第１実施形態に係る薬剤情報提供システム１００は、調剤薬局に設置された端末（以下「薬局端末１」という）と、薬袋２と、電子機器３と、サーバ４と、ネットワーク５と、を含んで構成される。
【００１３】
薬局端末１は、プリンタを備え、ネットワーク５を介してサーバ４に通信可能に接続される。薬局端末１は、制御部と各種プログラムを記憶した記憶部とを備え、制御部が各種プログラムを実行することにより、以下に示す機能を提供する。
【００１４】
薬局では、薬剤師が、ユーザーとしての患者の持参した処方箋を受け付け、処方箋のデータを薬局端末１に入力するとともに、処方箋に記載された内容の突合に関する確認を行う。そして、薬剤師は、処方箋にしたがって調剤を行い、処方された全ての薬剤を１枚の薬袋２または複数の薬袋２に分けて包装する。
この際、薬局端末１は、薬剤師の指示により、例えば、薬品情報を記憶した薬品情報データベース(図示せず)から薬剤識別情報（以下、「薬剤ＩＤ」ともいう）に基づいて、薬剤の情報データ（例えば、薬剤の名称、薬剤の画像データ、薬剤の服用方法、薬剤の効用、薬剤の注意事項、薬剤の副作用等）を取得するとともに、薬剤師により薬局端末１から入力された患者に固有の情報（例えば、服用上のアドバイス、患者個人に対するメッセージ等の伝達情報）に基づいて、薬袋２に包装される各薬剤について、薬剤の情報データ（以下「薬剤情報データ」ともいう）を作成する。
薬剤情報データは、後述のサーバ４の記憶部４１の備える薬剤情報データファイル４１１に、当該患者のユーザーＩＤとリンクして格納される。
なお、行政機関からの薬品に関する情報の更新等に対応して、薬品情報データベースの内容が更新されるタイミングで、サーバ４は、作成された薬品情報データを適宜更新することができる。
【００１５】
ここで、薬剤師が患者に対して説明する服用上のアドバイスとは、例えば患者の携行しているお薬手帳を参照したうえで薬剤師が提案する患者に対する服用上のアドバイス（注意事項）である。例えば、服用上のアドバイスとして、服用する薬剤と不適切な関係にある医薬部外品に関する注意事項、アルコール飲用に関する注意事項、車両運転等に関する注意事項等が挙げられる。
【００１６】
薬剤師の患者に対するメッセージとは、例えば、患者の薬の服用状況について患者に注意を促すメッセージである。例えば、処方された薬剤が処方どおり服用されている場合の残薬量をメッセージとして表示し、残りがわずかであると推測される場合に再診を促す旨のメッセージ、また処方された薬剤が処方どおり服用されている場合の残薬量をメッセージとして表示し、実際の残薬量とのチェックを促す旨のメッセージ等が挙げられる。
このようなメッセージは、薬袋２を作成したときばかりでなく、患者における薬剤を服用期間中においても、薬局端末１により、サーバ４に随時アップロードすることができる。
【００１７】
また、薬剤の情報データは、テキストのみならず、静止画、動画、音声等を含むように構成してもよい。この場合、静止画及び動画はカラー表示可能なものとしてもよい。また、音声合成ソフトにより、情報データ（テキスト）を音声出力するように構成してもよい。
【００１８】
また、薬局端末１は、薬袋２に包装された各薬剤について、患者の薬剤服用支援及び薬剤服用状況管理のために、薬剤師の指示により、処方箋に基づいて、薬剤の服用管理データ（以下、「薬剤服用管理データ」という）を作成することができる。
【００１９】
薬剤服用管理データは、少なくとも、薬剤ＩＤと、薬剤の１回あたりの服用量、薬剤の服用タイミング（例えば、朝昼夜の食前、食中、食後、就寝前、服用間隔等）、及び服用済または未服用の状態を示す服用状況データと、を含む。服用状況データとして、当該薬剤の処方期間の各服用タイミングにおける服用済または未服用の状態を記録することができる。
薬剤服用管理データは、後述のサーバ４の記憶部４１の備える薬剤服用管理ファイル４１２に、患者のユーザーＩＤとリンクして格納される。
【００２０】
次に、薬剤情報提供処理に使用されるトリガー画像２１について説明する。
トリガー画像２１とは、電子機器３によって認識されることにより、後述する電子機器３の機能の動作を開始させるトリガー、あるいは、電子機器３にインストールされているアプリケーションプログラムを起動させるトリガーとなる画像である。
具体的には、薬剤情報提供処理に使用されるトリガー画像２１として、ＡＲ（Ａｕｇｍｅｎｔｅｄ  Ｒｅａｌｉｔｙ）マーカー、バーコード、２次元コード（ＱＲコード（登録商標）等）を使用することができる。
【００２１】
トリガー画像２１は、少なくとも薬袋を識別する薬袋識別情報（以下「薬袋ＩＤ」という）及び薬剤ＩＤを含むように構成されることが好ましい。具体的には、例えば、２次元コード（またはバーコード、テキストデータ）によって、薬袋ＩＤ及び薬剤ＩＤを符号化することが好ましい。そうすることで、各トリガー画像２１は、薬袋を識別する薬袋ＩＤ及び薬剤を識別する薬剤ＩＤを電子機器３に対して提供することができる。（以下、薬袋ＩＤ及び薬剤ＩＤを併せて「薬袋管理情報」ともいう）。
薬局端末１は、薬剤師の指示にしたがって、トリガー画像２１を生成する。
【００２２】
以上のように、薬局端末１は、患者に処方する各薬剤に対して、薬袋ＩＤ及び薬剤ＩＤをキーとして、薬剤情報データを含むレコード（「薬剤情報データレコード」という）を生成し、後述するサーバ４の記憶部４１の備える薬剤情報データファイル４１１に格納またはアップロードする。
すなわち、薬剤情報データレコードは、薬袋２に含まれる薬剤毎に、薬袋ＩＤ及び薬剤ＩＤをキーとして、薬剤の名称、薬剤の画像データ、薬剤の服用方法、薬剤の効用、薬剤の注意事項、薬剤の副作用、薬剤師による服用上のアドバイス、薬剤師による患者個人に対するメッセージを含むように構成することができる。
【００２３】
また、薬局端末１は、患者に処方する各薬剤に対して、薬袋ＩＤ及び薬剤ＩＤをキーとして、薬剤服用管理データを含むレコード（「服用管理レコード」という）を生成し、後述するサーバ４の記憶部４１の備える薬剤服用管理ファイル４１２に格納またはアップロードする。
すなわち、薬剤服用管理レコードは、薬袋ＩＤ及び薬袋ＩＤをキーとして、少なくとも薬剤の１回あたりの服用量、薬剤の服用タイミング、及び薬剤の服用状況データと、を含むように構成することができる。
なお、薬剤の名称、薬剤の画像データについては、薬袋ＩＤ及び薬袋ＩＤをキーとする薬剤情報データファイル４１１から参照することができるため、服用管理レコードには含まないようにしてもよい。
【００２４】
薬局端末１は、少なくとも、患者の名前と、処方日付と、患者に処方される薬剤の名称と、トリガー画像２１とを、プリンタにより薬袋２に印刷させる。
図２は、トリガー画像を有する薬袋２の例を示す図である。
図２に示すように、トリガー画像２１は、薬袋２の所定の領域に視認可能なように印刷される。複数の薬剤が薬袋２に含まれる場合、当該薬袋の印刷領域に、少なくとも薬剤の名称と薬剤に対応するトリガー画像２１とを並べて印刷することが好ましい。
なお、薬袋２に印刷される薬剤に関する情報は、最小限にとどめることができる。図２には、薬剤の名称、薬剤の写真、及び薬剤の服用時間が印刷される例を示している。
【００２５】
薬局端末１は、上記のように薬袋２に印刷されるデータを薬袋２に印刷する代わりに、服薬指導箋に印刷させるようにしてもよい。さらに、例えば粘着シートに、薬剤の名称と薬剤に対応するトリガー画像２１をプリントさせてもよい。その場合、印刷された粘着シートを薬袋２に貼付するようにしてもよい。
【００２６】
［電子機器３の構成］
電子機器３は、例えば、スマートフォン、タブレット端末、ノート型パソコン、携帯電話、ＰＤＡ等の携帯端末として構成される。
図３は、電子機器３の構成を示す図である。
図３に示すように、電子機器３は、少なくとも、制御部３０と、記憶部３１と、通信部３２と、撮像部３３と、表示部３４と、入力部３５と、を備える。図示しないが、スピーカと、マイクとを備えることができる。
【００２７】
制御部３０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、Ｉ／Ｏ等を有するマイクロプロセッサにより構成される。ＣＰＵは、ＲＯＭまたは記憶部３１から読み出した各プログラムを実行し、その実行の際にはＲＡＭ、ＲＯＭ、及び記憶部３１から情報を読み出し、ＲＡＭ及び記憶部３１に対して情報の書き込みを行い、通信部３２と、撮像部３３と、表示部３４と、入力部３５等と信号の授受を行う。
制御部３０における制御内容の詳細については、後述する。
【００２８】
記憶部３１は、例えば半導体メモリ等で構成され、オペレーティングシステム（ＯＳ）や薬剤情報提供のためのアプリケーションプログラム等が記憶される。なお、アプリケーションプログラムについては、記憶部３１に予め記憶しておく構成でもよい。また、サーバ４から適宜取得する構成でもよい。
【００２９】
通信部３２は、例えば、ＤＳＰ（Ｄｉｇｉｔａｌ  Ｓｉｇｎａｌ  Ｐｒｏｃｅｓｓｏｒ）等を有し、３ＧやＬＴＥ（Ｌｏｎｇ  Ｔｅｒｍ  Ｅｖｏｌｕｔｉｏｎ）等の携帯電話通信網に代表される無線通信網を通じて無線通信を行い、サーバ４と無線通信を行うことが可能に構成されている。
【００３０】
撮像部３３は、患者の操作にしたがって、薬袋２に印刷されたトリガー画像２１を撮像する。ここで、撮像部３３は、電子機器３に内蔵されるデジタルカメラ機能によって構成されてもよい。
【００３１】
表示部３４は、電子機器３に搭載されているディスプレイ等の表示デバイスにより構成され、制御部３０からの指示を受けて表示情報を表示するように構成されている。
【００３２】
入力部３５は、テンキーと呼ばれる物理スイッチや表示部３４の表示面に重ねて設けられたタッチパネル等の入力装置（図示せず）等で構成される。入力部３５からの操作入力、例えばユーザーである患者によるテンキーの押下、タッチパネルのタッチに基づいた信号を制御部３０に出力することで、所定の操作を行うことができる。
【００３３】
スピーカは、患者に対して音声出力を行い、マイクは、患者によって発せられた音声等を集音する。例えば、薬剤情報データが音声を含む場合、薬剤情報データはスピーカから出力される。また、マイクを用いて、指示入力のための音声を入力することができる。
【００３４】
制御部３０は、アプリケーションプログラム（以下、「薬剤情報提供アプリケーション」とも総称する）を実行することによって、電子機器３を所定の手段（以下、「薬剤情報提供部」とも総称する）として機能させる。
また、制御部３０は、薬剤情報提供アプリケーションを実行することによって、電子機器に、所定の手順（以下、「薬剤情報提供手順」とも総称する）を実行させる。
【００３５】
図３に示すように、制御部３０は、接続処理部３００と、トリガー画像読み取り部３０１と、ガイダンス表示部３０２と、薬剤情報データ取得部３０３と、薬剤情報表示部３０４と、薬剤服用管理データ取得部３０５と、薬剤服用管理データ表示部３０６と、を備える。
【００３６】
接続処理部３００は、患者の携行する電子機器から、サーバ４に対してログイン処理を行う。なお、携帯電話番号を認証することにより、自動ログインするようにしてもよい。
接続処理部３００は、患者が正当な者であることを認証されると、薬剤情報提供処理を行うように構成することができる。
【００３７】
トリガー画像読み取り部３０１は、撮像部３３によって撮像された全体画像内に、トリガー画像２１を認識し、トリガー画像２１を読み取り、トリガー画像２１に埋め込まれている薬袋ＩＤ及び薬剤ＩＤを読み取るように構成される。そうすることで、トリガー画像読み取り部３０１は、薬袋ＩＤ及び薬剤ＩＤを取得する。
【００３８】
ガイダンス表示部３０２は、トリガー画像読み取り部３０１によりトリガー画像２１を認識することに応答して、患者に対して、表示部３４に表示する情報を選択するためのガイダンス画面を表示する。図４Ａに示すように、ガイダンス画面には、薬剤情報データの種別（例えば、薬剤の効用、服用方法、薬剤の注意事項、薬剤の副作用、アドバイス、メッセージ等）の選択、または薬剤の服用管理の選択をするための吹き出し３４１が表示される。
図４Ａは、薬袋２を電子機器３により撮像したときに表示部３４に表示されるガイダンス画面の例を示す図である。
図４Ａに示すように、ガイダンス表示部３０２は、例えば、薬剤情報データの種別または薬剤の服用管理を表示する吹き出し３４１を有するガイダンス画面を表示し、患者が該当する吹き出しをタップすることで、薬剤情報データの種別または薬剤の服用管理を選択させるように構成することができる。
【００３９】
薬剤情報データ取得部３０３は、ガイダンス画面を介して患者により薬剤情報データの種別が選択された場合、通信部３２を介してサーバ４にアクセスして、患者により選択された薬剤情報データを取得する。
具体的には、薬袋ＩＤ、薬剤ＩＤをパラメータとして、後述するサーバ４の薬剤情報提供部４０１に対して、選択された薬剤情報データの取得要求をすることにより、サーバ４（薬剤情報提供部４０１）から、選択された薬剤情報データを取得する。
【００４０】
薬剤情報表示部３０４は、サーバ４（薬剤情報提供部４０１）から取得した薬剤情報データを、表示部３４に表示する。
図４Ｂは、ガイダンス画面から薬剤情報データが選択された場合に、表示部に表示される薬剤情報の例を示す図である。
図４Ｂに示すように、例えば、薬剤情報表示部３０４は、表示部３４上に撮像されたトリガー画像２１の表示位置に重畳して吹き出し３４１を表示し、その吹き出し３４１の中に、薬剤情報データを表示させる。
図４Ｂに示す例では、Ａカプセルについて、薬剤の注意事項を、Ｂ錠について、薬剤の効用を表示している。
なお、吹き出し３４１の表示位置は、トリガー画像２１に重畳する場合に限らず、適宜設定するようにしてもよい。また、薬剤情報データが音声を含む場合は、薬剤情報表示部３０４は、薬剤情報データの表示と併せて、音声をスピーカに出力する。また、薬剤情報表示部３０４は、薬剤情報データがテキストデータの場合、音声合成ソフトにより、音声出力するように構成することができる。
【００４１】
薬剤服用管理データ取得部３０５は、ガイダンス画面を介して薬剤の服用管理が選択された場合、通信部３２を介してサーバ４にアクセスして、薬袋ＩＤ及び薬剤ＩＤに対応する服用管理データを取得する。
具体的には、薬袋ＩＤ及び薬剤ＩＤをパラメータとして、後述するサーバ４の薬剤服用管理情報提供部４０２に対して、薬袋ＩＤ及び薬剤ＩＤに対応する、薬剤服用管理データの取得要求をすることにより、サーバ４（薬剤服用管理情報提供部４０２）から、薬剤服用管理データを取得する。
【００４２】
薬剤服用管理データ表示部３０６は、サーバ４（薬剤服用管理情報提供部４０２）から取得した薬剤服用管理データを、表示部３４上に撮像されたトリガー画像２１の表示位置に重畳して表示することができる。
図４Ｃは、ガイダンス画面から服用管理が選択された場合に、表示部に表示される服用タイミングデータの例を示す図である。
図４Ｃに示すように、例えば、薬剤服用管理データ表示部３０６は、薬剤の現在の服用タイミングを表示するとともに、服用する薬剤毎に吹き出し３４１を表示し、その中に、薬剤の１回あたりの服用量を表示させる。
この際、薬剤服用管理データ表示部３０６は、患者が当該薬剤を服用したことをチェックするための服用チェックボタン３４２を表示するように構成することができる。
薬剤服用管理データ表示部３０６は、患者により当該服用チェックボタン３４２がクリックされることで、患者が当該薬剤を服用したことを示すイベントデータを後述するサーバ４の薬剤服用管理情報提供部４０２に通知することができる。
【００４３】
現在時刻が、薬剤を服用するタイミングの時間帯に属さない場合、薬剤服用管理データ表示部３０６は、現在は服用タイミングのときでない旨のメッセージを表示する。
なお、「薬剤を服用するタイミングの時間帯」については、薬局端末１が、薬剤師の指示にしたがって、薬袋ＩＤ毎に設定できるように構成される。
【００４４】
服用履歴照会部３０７は、図４Ｃに示すように、薬剤の薬剤服用管理データが表示された際に、服用管理データの吹き出し３４１が患者によりタップされることで、後述するサーバ４の服用履歴提供部４０４から、当該薬剤の服用履歴状況を受信し、服用履歴状況を表示するように構成することができる。
なお、図４Ａから図４Ｃに示す各表示例において、表示内容には、テキストのみならず、カラー表示された静止画及び動画を含むことができる。
【００４５】
［サーバ４の構成］
図５は、サーバ４の構成を示す図である。
図５に示すように、サーバ４は、少なくとも、制御部４０と、記憶部４１と、通信部４２とを、を備えている。さらにサーバ４は、必要に応じて表示部４３と、入力部４４と、を備えることができる。
第１実施形態では、サーバ４を１つのサーバとして記載するが、サーバ４の各機能を、適宜複数のサーバに分散する、分散処理システムとしてもよい。また、クラウド上で仮想サーバ機能等を利用して、サーバの各機能を実現してもよい。また、サーバ４を、例えば、Ｗｅｂサーバ、アプリケーションサーバ、データベースサーバから構成されるサーバシステムとしてもよい。
【００４６】
制御部４０はＣＰＵ、ＲＡＭ、ＲＯＭ、Ｉ／Ｏ等を有するプロセッサにより構成され、各構成部の制御を行う。ＣＰＵは、ＲＡＭ、ＲＯＭまたは記憶部４１から読み出したアプリケーションプログラムを実行し、その実行の際にはＲＡＭ、ＲＯＭ、及び記憶部４１から情報を読み出し、ＲＡＭ及び記憶部に対して情報の書き込みを行い、通信部４２と信号の授受を行う。
制御部４０における制御内容の詳細については、後述する。
【００４７】
記憶部４１は半導体メモリやハードディスクドライブ等で構成されており、オペレーティングシステム（ＯＳ）やアプリケーションと呼ばれるソフトウェアが保存される等、種々の情報が記憶される。
さらに、記憶部４１には、ユーザー情報データファイル４１０、薬剤情報データファイル４１１及び薬剤服用管理ファイル４１２が記憶されている。
【００４８】
ユーザー情報データファイル４１０には患者毎にユーザー情報データレコードが作成され、ユーザー情報データ（例えば、ユーザーＩＤ、パスワード、携帯電話番号、住所、氏名、健康保険証番号等）が記憶される。
【００４９】
薬剤情報データファイル４１１は、当該患者のユーザーＩＤとリンクする薬剤情報データレコードを含む。薬剤情報データレコードは、薬袋２に含まれる薬剤毎に、薬袋ＩＤ及び薬剤ＩＤをキーとして、薬剤の名称、薬剤の画像データ、薬剤の服用方法、薬剤の効用、薬剤の注意事項、薬剤の副作用、薬剤師による服用上のアドバイス、薬剤師による患者個人に対するメッセージを含む。
【００５０】
薬剤服用管理ファイル４１２は、当該患者のユーザーＩＤとリンクする薬剤服用管理レコードを含む。薬剤服用管理レコードは、薬袋ＩＤ及び薬剤ＩＤをキーとして、少なくとも、当該薬剤の１回あたりの服用量、薬剤の服用タイミング（例えば、朝昼夜の食前、食中、食後、就寝前、何時間毎等）、及び服用済または未服用の状態を示す服用状況データを含む。
【００５１】
通信部４２は、インターネット回線等のネットワークに接続することができる通信プロトコル、及び図示しない無線基地局を通じて電子機器３とパケットデータ等の送受信（データ通信）をおこなう通信プロトコル等を実装する。そうすることで、例えば、電子機器３との送受信の場合に無線通信を行うことができる。また、薬局端末１との送受信の場合に、有線または無線通信を行うことができる。
【００５２】
制御部４０は薬剤情報提供のためのプログラムを実行することによって、サーバ４に所定の手段（以下、「薬剤情報提供制御部」と総称する）として機能させる。
【００５３】
図５に示すように、制御部４０は、接続処理部４００と、薬剤情報提供部４０１と、薬剤服用管理情報提供部４０２と、服用期間管理部４０３と、服用履歴提供部４０４と、を備える。
【００５４】
接続処理部４００は、患者の携行する電子機器からのログイン処理を実行して、ユーザー情報データファイル４１０等を参照することで、ユーザーが正当な者であることを認証する。なお、携帯電話番号を認証することにより、自動ログインするようにしてもよい。
接続処理部４００は、患者が正当な者であることを認証すると、患者に対して、薬剤情報提供処理を行うように構成することができる。
【００５５】
＜薬剤情報提供部４０１＞
薬剤情報提供部４０１は、電子機器３から通信部４２を介して受信した、患者により選択された薬剤の情報データ要求に基づいて、薬剤の情報データを薬剤情報データファイル４１１から抽出する。
具体的には、薬袋ＩＤ、薬剤ＩＤ、及び薬剤情報データの種別に基づいて、薬剤情報データファイル４１１から対応する薬剤情報データを検索し、取得する。薬剤情報提供部４０１は、取得した薬剤情報データを通信部４２を介して、電子機器３に対して送信する。
なお、薬剤情報提供部４０１は、患者により選択された薬剤の情報データのみならず、全ての情報データを含む薬剤情報データレコードを電子機器３に対して送信するように構成してもよい。この場合、電子機器３（薬剤情報表示部３０４）は、受信した薬剤情報データレコードから、選択された薬剤情報データを抽出し、表示するように構成してもよい。
【００５６】
＜薬剤服用管理情報提供部４０２＞
薬剤服用管理情報提供部４０２は、電子機器３（薬剤服用管理データ取得部３０５）から通信部４２を介して受信した、薬袋ＩＤ及び薬剤ＩＤに対応する薬剤の薬剤服用管理データの要求に基づいて、薬剤の薬剤服用管理データを生成する。
【００５７】
具体的には、薬剤服用管理情報提供部４０２は、現在時刻情報に基づいて、現在時刻が当該薬剤の服用タイミング（例えば、朝昼夜の食前、食中、食後、就寝前、何時間毎等）の時間帯のいずれに該当するかを判断する。
【００５８】
薬剤服用管理情報提供部４０２は、現在時刻における当該薬剤の服用状況データが未服用状態を示していることの条件が満たされている場合、当該薬剤の薬剤服用管理データを通信部４２を介して、電子機器３（薬剤服用管理データ表示部３０６）に対して送信する。
こうすることで、サーバ４（薬剤服用管理情報提供部４０２）は、電子機器３（薬剤服用管理データ取得部３０５）に対して、例えば図４Ｃに示すように、当該薬剤が現在服用すべき薬剤であるか否かを通知することができる。
【００５９】
＜服用期間管理部４０３＞
患者が現在服用すべき薬剤を服用する際、電子機器３（薬剤服用管理データ表示部３０６）は、患者により現在服用すべき薬剤の服用チェックボタン３４２がクリックされると、当該薬剤を服用済みとするイベントデータをサーバ４（服用期間管理部４０３）に通知する。
服用期間管理部４０３は、薬剤を服用済みとするイベントデータの受信に応答して、当該薬剤の薬剤服用管理レコードの現在時刻における服用状況データを服用済の状態に更新し、薬剤の服用状態を最新の状態に維持することができる。
【００６０】
＜服用履歴提供部４０４＞
電子機器３（服用履歴照会部３０７）は、図４Ｃに示すように、薬剤の薬剤服用管理データが表示された際に、服用管理データの吹き出し３４１が患者によりタップされると、当該薬剤の服用履歴情報の要求をサーバ４（服用履歴提供部４０４）に通知する。
サーバ４（服用履歴提供部４０４）は、当該薬剤の現在時刻までの服用履歴状況を生成し、電子機器３（服用履歴照会部３０７）に提供する。そうすることで、患者は、例えば薬剤の服用忘れが発生していたかどうかを確認することができる。
【００６１】
［薬剤情報提供システム１００の処理］
続いて、図４Ａ、図４Ｂ、図４Ｃ、及び図６を参照して、薬袋２を電子機器３により撮像することにより、患者に薬剤の薬剤情報を提供する場合の、薬剤情報提供システム１００による薬剤情報提供処理フローを説明する。なお、薬局端末１により、薬袋２には、薬剤の名称及び薬剤に対応するトリガー画像２１が予め印刷されているものとする。また、薬局端末１により、薬袋２に包装された薬剤に関する薬剤情報データを含む薬剤情報データレコードは、予め生成され、サーバ４の薬剤情報データファイル４１１に格納されているものとする。
電子機器３には、薬剤情報提供に係るアプリケーションがインストールされ、起動されているものとする。
図６は、薬剤情報提供システム１００が実行する薬剤情報提供処理の流れを示すフローチャートである。
薬剤情報提供処理は、電子機器３が、患者による、薬剤情報提供処理を行うための所定の操作（例えば、接続処理）を受け付けたことに応じて開始される。
【００６２】
ステップＳＴ１０１において、撮像部３３は、患者の操作に基づいて撮像部３３から薬袋２の画像データを取得する。
【００６３】
ステップＳＴ１０２において、トリガー画像読み取り部３０１は、ステップＳＴ１０１において撮像された全体画像内に、トリガー画像２１を認識し、トリガー画像２１を読み取り、トリガー画像２１に埋め込まれている薬袋管理情報（薬袋ＩＤ及び薬剤ＩＤ）を読み取る。
【００６４】
ステップＳＴ１０３において、ガイダンス表示部３０２は、患者に対して、例えば図４Ａに示すようなガイダンス画面を表示部３４に表示する。
【００６５】
ステップＳＴ１０４において、ガイダンス画面を介して、薬剤情報データの種別（例えば、薬剤の効用、服用方法、薬剤の注意事項、薬剤の副作用、アドバイス、メッセージ等）が選択された場合、ステップＳＴ１０５に進む。薬剤の服用管理が選択された場合、ステップＳＴ１０８に進む。
【００６６】
ステップＳＴ１０５において、電子機器３（薬剤情報データ取得部３０３）は、ステップＳＴ１０２において読み取った、薬袋ＩＤ及び薬剤ＩＤをパラメータとして、サーバ４（薬剤情報提供部４０１）に対して、薬剤情報データの取得要求をする。
【００６７】
ステップＳＴ２０１において、サーバ４（薬剤情報提供部４０１）は、電子機器３（薬剤情報データ取得部３０３）から通信部４２を介して受信した、薬剤情報データの取得要求に基づいて、薬剤情報データを薬剤情報データファイル４１１から抽出する。
【００６８】
ステップＳＴ２０２において、サーバ４（薬剤情報提供部４０１）は、ステップＳＴ２０１において抽出した薬剤情報データを、電子機器３（薬剤情報表示部３０４）に対して送信する。
【００６９】
ステップＳＴ１０６において、電子機器３（薬剤情報表示部３０４）は、受信した薬剤情報データを、例えば図４Ｂに示すように、表示部３４に撮像されたトリガー画像２１の場所に重畳して表示する。
【００７０】
ステップＳＴ１０７において、患者により、所定のボタン（図示せず）をクリックすることで、前画面に戻る操作が行われた場合、ステップＳＴ１０３に戻る。また、患者により、別の薬剤に対応するトリガー画像２１を撮像した場合、ステップＳＴ１０１に戻る。
【００７１】
ステップＳＴ１０８において、電子機器３（薬剤服用管理データ取得部３０５）はステップＳＴ１０２において読み取った、薬袋ＩＤ及び薬剤ＩＤをパラメータとして、サーバ４（薬剤服用管理情報提供部４０２）に対して、薬剤ＩＤに対応する薬剤の服用管理データ（服用状況データ及び当該薬剤の服用タイミングデータ）の取得要求をする。
【００７２】
ステップＳＴ２０３において、サーバ４（薬剤服用管理情報提供部４０２）は、電子機器３（薬剤服用管理データ取得部３０５）から通信部を介して受信した、薬剤の服用管理データ取得要求に基づいて、当該薬剤の薬剤服用管理データを薬剤情報データファイル４１１から取得する。
【００７３】
ステップＳＴ２０４において、サーバ４（薬剤服用管理情報提供部４０２）は、ステップＳＴ２０３において取得した薬剤服用管理データ及び現在時刻等に基づいて、当該薬剤の服用状況データ及び最新の服用タイミングデータを生成する。
【００７４】
ステップＳＴ２０５において、薬剤服用管理情報提供部４０２は、取得した薬剤の服用状況データ及び生成した最新の服用タイミングデータを通信部を介して、電子機器３（薬剤情報表示部３０４）に対して送信する。
【００７５】
ステップＳＴ１０９において、電子機器３（薬剤服用管理データ表示部３０６）は、サーバ４（薬剤服用管理情報提供部４０２）から受信した、当該薬剤の服用状況データ及び当該薬剤の服用タイミングデータを、例えば図４Ｃに示すように、表示する。なお、電子機器３（薬剤服用管理データ表示部３０６）は、当該薬剤の服用タイミングデータが、現在服用することを示している場合、患者が薬剤を服用することをチェックするための服用チェックボタン３４２を併せて表示する。
【００７６】
ステップＳＴ１１０において、電子機器３（薬剤服用管理データ表示部３０６）は、患者により薬剤を服用することをチェックするためのチェックボタン３４３がクリックされることに応答して、患者が当該薬剤を服用したことを示すイベントデータをサーバ４（薬剤服用管理情報提供部４０２）に送信する。
【００７７】
ステップＳＴ１１１において、患者により前画面に戻る操作が行われた場合、ステップＳＴ１０３に戻る。また、患者により、別の薬剤に対応するトリガー画像２１を撮像した場合、ステップＳＴ１０１に戻る。
【００７８】
ステップＳＴ２０６において、サーバ４（薬剤服用管理情報提供部４０２）は、電子機器３（薬剤服用管理データ表示部３０６）から受信した当該薬剤を服用したことを示すイベントデータに基づいて、薬剤服用管理レコードを更新する。
【００７９】
こうすることで、サーバ４（薬剤服用管理情報提供部４０２）は、患者の薬剤服用管理レコードを常に最新の状態に維持することができる。
【００８０】
なお、本発明は、上述の実施形態に限定されるものではなく、本発明の目的を達成できる範囲での変形、改良等は本発明に含まれるものである。
例えば、本発明において、トリガー画像に重畳して吹き出し（薬剤情報）を表示することには、トリガー画像が撮像画像の画角に含まれる場合に、吹き出し（薬剤情報）を撮像画像に重畳して表示領域のいずれかの位置に表示することが含まれる。
【００８１】
上述した一連の処理は、ハードウェアにより実行させることもできるし、ソフトウェアにより実行させることもできる。
換言すると、機能的構成は例示に過ぎず、特に限定されない。すなわち、上述した一連の処理を全体として実行できる機能が薬剤情報提供システム１００を構成するいずれかのコンピュータに備えられていれば足り、この機能を実現するためにどのような機能ブロックを用いるのかは特に示した例に限定されない。
また、１つの機能ブロックは、ハードウェア単体で構成してもよいし、ソフトウェア単体で構成してもよいし、それらの組み合わせで構成してもよい。
【００８２】
［変形例１］
上述の実施形態において、薬剤情報データと薬剤服用管理データをそれぞれ、薬剤情報データファイル４１１及び薬剤服用管理ファイル４１２に格納またはアップロードするように構成した。
しかしながら、薬剤情報データと薬剤服用管理データをともに、薬剤情報データファイル４１１に格納またはアップロードするように構成してもよい。
この場合、薬剤情報管理データレコードは、薬袋ＩＤ及び薬袋ＩＤをキーとして、各薬剤について、薬剤の名称、薬剤の画像データ、薬剤の服用方法、薬剤の効用、薬剤の注意事項、薬剤の副作用、服用上のアドバイス、患者に対するメッセージ、薬剤の１回あたりの服用量、薬剤の服用タイミング（例えば、朝昼夜の食前、食中、食後、就寝前、何時間毎等）、及び服用済または未服用の状態を示す服用状況データを含むように構成することができる。
【００８３】
［変形例２］
上述の実施形態においては、電子機器３（薬剤情報データ取得部３０３）は、薬袋ＩＤ及び薬剤ＩＤをパラメータとして、サーバ４（薬剤情報提供部４０１）に対して、薬剤情報データの取得要求をして、サーバ４（薬剤情報提供部４０１）から、薬剤情報データを受信する構成としている。すなわち、上述の実施形態においては、クラウド型のシステムとして本発明の機能を実現している。
これに対して、例えば、電子機器３は、薬局において薬袋２を処方される際に、薬局端末１から直接、処方される薬袋２に対応する薬剤情報データレコードを、例えば近距離無線通信等を介して受信して、記憶部３１に薬剤情報データファイルとして記憶する構成にしてもよい。
この場合、薬剤情報データ取得部３０３は、サーバ４に替えて、記憶部３１（薬剤情報データファイル４１１）にアクセスすることで薬剤情報データを取得するように構成される。
すなわち、電子機器３がサーバ４の機能を備えるように構成される。
この場合、電子機器３において、スタンドアローン型のシステムとして本発明の機能を実現することができる。
なお、この場合、電子機器３において、行政機関からの薬品に関する情報の更新等に対応して、薬品情報データベースの内容が更新されたか否かを適宜確認し、薬品情報データベースの内容が更新された場合に、薬品情報データを適宜更新することができる。
【００８４】
［変形例３］
また、電子機器３（薬剤情報データ取得部３０３）は、サーバ４（薬剤情報提供部４０１）に対して、薬剤情報データの取得要求をして、薬剤情報データレコードを受信した際に、当該薬剤情報データを電子機器３の記憶部３１内にキャッシュファイルとして保存するように構成してもよい。
そうすることで、電子機器３（薬剤情報データ取得部３０３）が、２回目以降に薬剤情報データを表示部３４に表示する際に、電子機器３の記憶部３１内にキャッシュファイルとして保存される、薬剤情報データレコードにアクセスすることで、サーバ４にアクセスする頻度をより少ないものとしながら、薬剤情報データを得ることができる。
なお、この場合、電子機器３において、行政機関からの薬品に関する情報の更新等に対応して、薬品情報データベースの内容が更新されたか否かを適宜確認し、薬品情報データベースの内容が更新された場合に、薬品情報データを適宜更新することができる。
【００８５】
［変形例４］
上述の実施形態においては、薬袋２を電子機器３により撮像したときに、ガイダンス表示部３０２が、患者に対して、表示する薬剤情報データの種別を選択するためのガイダンス画面を表示部３４に表示し、患者が該当する吹き出しをタップすることで、薬剤情報データの種別または患者の薬剤に関する服用管理を選択させる構成としている。
これに対して、薬袋２を電子機器３により撮像したときに、電子機器３は、直接、薬袋ＩＤ、薬剤ＩＤをパラメータとして、サーバ４（薬剤情報提供部４０１）に対して、それぞれ、薬剤情報データの取得要求、及び薬剤服用管理の取得要求をするようにしてもよい。
そうすることで、電子機器３は、ガイダンス表示をせずに、取得した薬剤情報データレコードから、全ての薬剤情報データ、並びに服用状況データ及び最新の服用タイミングデータを表示するように構成してもよい。例えば、タブレット端末のように、電子機器の表示部３４のサイズが、薬袋２の全体を撮像する程度に大きい場合、このように構成することができる。
また、スマートフォンのように、電子機器の表示部３４のサイズが、薬袋２の全体を撮像することができない大きさの場合には、ガイダンス画面から表示対象を選択するように構成することが好ましい。
【００８６】
［変形例５］
上述の実施形態においては、電子機器３の表示部３４に表示されるガイダンス画面において、服用管理が選択された場合、サーバ４（薬剤情報提供部４０１）が、薬剤服用管理データ及び現在時刻等に基づいて、服用状況データ及び最新の服用タイミングデータを生成する構成としている。
これに対して、電子機器３の表示部３４に表示されるガイダンス画面において、服用管理が選択された場合、電子機器３（薬剤服用管理データ表示部３０６）が、現在時刻及びサーバ４（薬剤情報提供部４０１）から送信される薬剤服用管理データ等に基づいて、服用状況データ及び最新の服用タイミングデータを生成するようにしてもよい。
【００８７】
［変形例６］
薬剤師が患者に対して説明する服用上のアドバイス、及び患者個人に対するメッセージについては、薬局端末１は、薬剤師の指示により、サーバ４にアクセスし、薬袋ＩＤ、薬剤ＩＤに対応する薬剤情報データレコードにアクセスすることで、薬剤情報データレコードに含まれるアドバイス及びメッセージをアップロードするように構成することができる。
そうすることで、必要なタイミングで、薬剤師は患者に対して適切なアドバイスまたはメッセージを伝えることが可能となる。
【００８８】
［変形例７］
患者の携行する電子機器３に対してサーバ４からのプッシュ通知を可能とするように、薬剤情報提供アプリケーションにプッシュ機能を設定するとともに、デバイス情報をサーバ４に登録するように構成できる。
そうすることで、現在時刻が薬剤の服用タイミングの時間帯に該当する場合に、当該薬剤の薬剤服用管理データをサーバ４から、患者の携行する電子機器３にプッシュ方式で通知するように構成できる。その結果、患者は、薬剤の服用が必要なタイミングを自動的に把握することができる。
【００８９】
以上、本発明の実施形態について説明したが、本発明は前述した実施形態に限るものではない。実施形態及び変形例については、適宜組み合わせることができる。
また、本実施形態に記載された効果は、本発明から生じる最も好適な効果を列挙したに過ぎず、本発明による効果は、本実施形態に記載されたものに限定されるものではない。
【符号の説明】
【００９０】
１００  薬剤情報提供システム、１  薬局端末、２  薬袋、２１  トリガー画像、３  電子機器、３０  制御部、３００  接続処理部、３０１  トリガー画像読み取り部、３０２  ガイダンス表示部、３０３  薬剤情報取得部、３０４  薬剤情報表示部、３０５  薬剤服用管理データ取得部、３０６  薬剤服用管理データ表示部、３１  記憶部、３２  通信部、３３  撮像部、３４  表示部、３５  入力部、４  サーバ、４０  制御部、４００  接続処理部、４０１  薬剤情報提供部、４０２  薬剤服用管理情報提供部、４０３  服用期間管理部、４０４  服用履歴提供部、４１  記憶部、４１０  ユーザー情報データファイル、４１１  薬剤情報データファイル、４１２  薬剤服用管理ファイル、４２  通信部、５  ネットワーク
【図１】
0006386977.tif 000002
【図２】
0006386977.tif 000003
【図３】
0006386977.tif 000004
【図４Ａ】
0006386977.tif 000005
【図４Ｂ】
0006386977.tif 000006
【図４Ｃ】
0006386977.tif 000007
【図５】
0006386977.tif 000008
【図６】
0006386977.tif 000009